(57)【要約】      （修正有）【課題】電気など他の動力を一切使用せずエンジンやモーターの回転運動を直線運動に変換し自動的に出力軸へ連動する回転力伝達装置（クラッチ）において、回転の力や速度に影響せず速やかに回転力を出力軸へ連動可能にする。他の動力を使わず正逆転、解除を全自動で実現する。摩擦部分をなくし回転ロスを無くす。小型軽量薄型が可能で高トルクを実現する。シンプル構造で高耐久、低価格を実現する。【解決手段】起動盤ａの回転力をクラッチ盤ｃに装着した上下２枚のスライド板ｄを直線運動（逆方向に平行移動）に変換し、筒状の出力盤ｈの内壁左右２カ所に押付け、突っ張り力で、スライド板ｄの先端と出力盤ｈの内壁とを密着固定し、回転方向に関係なく起動盤の回転力を出力盤へ回転ロスなく連動し、かつ、逆回転（一瞬）の微調整が可能で、スライド板と出力盤の切離しも、戻しバネｅの働きで、クラッチの自動解除を十分可能にした自動クラッチとした。【選択図】図１
2018063042.tif 000002
【特許請求の範囲】
【請求項１】
起動盤ａ、クラッチ盤ｃ、筒状の出力盤ｈの順に３枚の円盤が同一中心軸線上に配置され、前記起動盤ａの回転力を前記クラッチ盤ｃに装着した上下２枚のスライド板ｄを直線運動に変換して、前記筒状の出力盤ｈの内壁左右２カ所に押付け、その突っ張り力で前記スライド板ｄの先端と前記出力盤ｈの内壁とを密着固定し回転方向に関係なく前記起動盤ａの回転力を前記出力盤ｈへ回転ロスなく連動する機構を有してなることを特徴とする回転力で作動する自動クラッチ。
【請求項２】
前記起動盤ａの逆回転により前記スライド板ｄと前記出力盤ｈを切離し、戻しバネｅにより前記クラッチ盤ｃの中央へ戻しクラッチを自動解除する機構を有してなることを特徴とする請求項１に記載の回転力で作動する自動クラッチ。
【発明の詳細な説明】
【技術分野】
【０００１】本発明は回転力伝達装置（クラッチ）に関するものである
【背景技術】
【０００２】  現在のクラッチはエンジンやモーターなどの回転力を遠心力で伝達する方が主で、多くは微速回転時には機能せず逆回転にも対応できないものが多い。本発明は従来のクラッチでは対処できない微速回転時の即応性や正逆回転への対応、停止時のクラッチ自動遮断など、回転力自体を利用して作動する新方式の自動クラッチを実現するものである。
【先行技術文献】
【特許文献】
【０００３】
【特許文献１】特開２００３−０６５３６５  公開特許公報
【０００４】
【発明の概要】
【０００５】  電気など他の動力を一切使用せずエンジンやモーターの回転運動を直線運動に変換し自動的に出力軸へ連動する回転力伝達装置（クラッチ）である。
【発明が解決しようとする課題】
【０００６】▲１▼回転の力や速度に影響せず速やかに回転力を出力軸へ連動可能にする。▲２▼他の動力を使わず正逆転、解除を全自動で実現可能にする。▲３▼摩擦部分をなくし回転ロスを無くす。▲４▼小型軽量薄型が可能で高トルクを実現する。▲５▼シンプル構造で高耐久、低価格を実現する。
【課題を解決するための手段】
【０００７】  本発明の回転力で作動する自動クラッチは、「起動盤」、「クラッチ盤」、「出力盤」の順に同一軸線上に配置される３枚の円盤で構成され、それらの３枚の円盤は、回転力で作動する自動クラッチで、３枚の円盤は中心軸「シャフト」で貫通し、モーターなどの動力により起動盤が回転すると、自動的にクラッチ盤ｃを介し出力盤ｈへ瞬時に回転を連動する装置で、起動盤ａ、クラッチ盤ｃ、筒状の出力盤ｈの順に３枚の円盤が同一中心軸線上に配置され、前記起動盤ａの回転力を前記クラッチ盤ｃに装着した上下２枚のスライド板ｄを直線運動（逆方向に平行移動）に変換して、前記筒状の出力盤ｈの内壁左右２カ所に押付け、その突っ張り力で前記スライド板ｄの先端と前記出力盤ｈの内壁とを密着固定し回転方向に関係なく前記起動盤ａの回転力を前記出力盤ｈへ回転ロスなく連動する機構を有してなることを特徴とする回転力で作動する自動クラッチであり、前記起動盤ａの逆回転により前記スライド板ｄと前記出力盤ｈを切離し、戻しバネｅにより前記クラッチ盤ｃの中央へ戻しクラッチを自動解除する機構を有してなる回転力で作動する自動クラッチである。更に詳述すると、▲１▼歯車やプーリーを代用した起動盤ａはクラッチ盤ｃと連動させるための起動軸ｂを装備し、▲２▼クラッチ盤ｃには起動軸ｂを貫通する穴を設け回転力をスライド板ｄに連動する。尚、クラッチ盤ｃには重りｆを取付クラッチ盤ｃの回転抵抗を高めスライド板ｄを軽快に作動できるようにする。又、クラッチ盤ｃにはスライド板ｄを直線運動に変換するためのガイド軸ｇを、停止時にはスライド板ｄを元の位置に戻しクラッチを解除すための戻しバネｅを装備する。▲３▼スライド板ｄは起動軸ｂにより起動盤ａの回転力を直線運動に変換する。起動軸ｂが回転すると上下２枚のスライド板ｄは逆方向に平行移動し、筒状の出力盤ｈの内壁を左右２カ所で突っ張り密着固定。回転力を出力盤ｈへ速やかに連動する。▲４▼筒状の出力盤ｈの内側とスライド板ｄの先端は回転開始と同時（静止状態）に密着固定される。双方の接触面は回転速度やトルクなど使用目的に応じた素材や形状で製作する。▲５▼回転停止時にクラッチを解除したい場合は起動盤ａをわずかに逆回転しスライド板ｄと出力盤ｈを切離す。尚、切離したスライド板ｄは戻しバネｅによりクラッチ盤ｃの中央へ戻しクラッチを完全に解除する。
【発明の効果】
【０００８】▲１▼起動盤ａが回転すると起動軸ｂを介しクラッチ盤ｃの貫通穴ｍを経由し、上下２枚のスライド板ｄが逆方向に平行移動し筒状の出力盤ｈの内壁に押付け密着固定する。スライド板ｄの突っ張り効果により起動盤ａ、クラッチ盤ｃ、出力盤ｈの３枚の円盤は１体となり起動盤ａの回転方向に同じ回転力で回転する。接触部分に摩擦が生じないため回転ロスは皆無となる。▲２▼起動盤ａの回転が停止するとクラッチは出力盤ｈと接続状態で停止する。停止中にクラッチを解除したい場合は起動盤ａを一瞬逆回転しスライド板ｄと出力盤ｈを切離しクラッチ盤ｃの戻しバネｅの働きによりスライド板ｄを中央へ戻しクラッチを解除する。起動盤ａの回転力をクラッチ盤ｃに装着した上下２枚のスライド板ｄを直線運動（逆方向に平行移動）に変換し、筒状の出力盤ｈの内壁左右２カ所に押付け、その突っ張り力でスライド板ｄの先端と出力盤ｈの内壁とを密着固定し回転方向に関係なく起動盤ａの回転力を出力盤ｈへ回転ロスなく連動する機能を有してなる回転力で作動する自動クラッチである。
【図面の簡単な説明】
【０００９】
【図１】図１は本発明に係る実施例を示す出力軸を中心とした装置全体を分解した状況を示す鳥瞰図である。
【図２】図１に図示の回転力で作動する自動クラッチの起動盤と起動軸を示す図で（Ａ）は平面図を、（Ｂ）は縦側面図を図示している。
【図３】図１に図示の回転力で作動する自動クラッチのクラッチを示す図で（Ａ）は平面図を、（Ｂ）は縦側面図を図示している。
【図４】図１に図示の回転力で作動する自動クラッチのスライド機構を示す図で（Ａ）は平面図を、（Ｂ）は縦側面図を図示している。
【図５】図１に図示の回転力で作動する自動クラッチの出力盤を示す図で（Ａ）は平面図を、（Ｂ）は縦側面図を図示している。
【図６】図１に図示の回転力で作動する自動クラッチの作動（回転・停止）状況を示す図で、（Ａ）は停止時を、（Ｂ）は右回転時を、（Ｃ）は左回転時を図示している。
【発明を実施するための形態】
【００１０】    本発明に係る１実施例について、図１から図６を参照して、以下説明する。
【実施例】
【００１１】  本実施例では、図１に図示するように、回転力で作動する自動クラッチは、起動盤ａ、クラッチ盤ｃ、筒状の出力盤ｈの順に３枚の円盤が同一中心軸線上に配置され、出力盤ｈは、出力盤ｈの軸心に固着したシャフトｉと一体で回転する。シャフトｉの上部は出力軸として目的装置の回転軸として利用し、下部の軸受は機械装置本体へ取付けた。起動盤ａ、クラッチ盤ｃの２枚の円盤は、シャフトｉに固定せず自由に回転する構造からなり、図２に図示するように、起動盤ａは、図示省略のモーターなどの回転力を起動軸ｂで、クラッチ盤ｃ、スライド板ｄに連動する。図３に図示するように、クラッチ盤ｃには、起動軸ｂの貫通穴ｍ、及びスライド板ｄを直線運動に変換するガイド軸ｇや重りｆを取付た。図４に図示するように、上下２枚のスライド板ｄは、起動軸ｂの回転運動を直線運動へ変換し筒状の出力盤ｈの内壁を左右２カ所逆方向に突っ張り密着固定し回転力を出力盤ｈに連動する。クラッチ解除時には、スライド板ｄをクラッチ盤ｃの中央へ戻すための戻しバネｅを装備した。図４中の符号ｊは、戻しバネｅを係止するバネ固定軸を、符号ｋは、起動軸穴を、符号ｌは、ガイド穴を、それぞれ図示している。次に、図５に図示するように、筒状の出力盤ｈは、スライド板ｄの突っ張りにより密着固定され起動盤ａの回転力に連動し、出力盤ｈを回転する。スライド板ｄと接触する出力盤ｈの内側は滑り止めの突起や素材で製作した。図６に図示するように、停止時（クラッチ解除の状態）は、スライド板ｄは中央に位置するが、回転するとスライド板（ｄ：上下２枚）は逆方向へ平行移動し、出力盤ｈの内壁左右２カ所を突っ張り密着固定し起動軸ｂの回転力を出力盤ｈに連動する。尚、回転が停止してもクラッチは接続状態を維持するので、解除したい場合は起動盤ａを逆回転しスライド板ｄと出力盤ｈを切離し、戻しバネｅでスライド板ｄをクラッチ盤ｃの中央へ戻し停止状態になる。更に、本実施例での回転力で作動する自動クラッチは回転停止時（クラッチ解除の状態）はスライド板ｄはクラッチ盤ｃの中心に位置し戻しバネｅも左右対称にある。起動盤ａが右に回転するとスライド板ｄの上部は右側へ下部は左側へ平行移動し上下とも先端は筒状の出力盤ｈの内側へ押付けられる。押付力は起動盤ａの回転力と出力盤ｈの負荷に比例する。回転開始時に起動軸ｂの回転力でスライド板ｄが直線運動に軽快に変換できるように重りｆでクラッチ盤ｃの回転抵抗を高める。起動軸ｂが回転すると上下２枚のスライド板ｄは逆方向へ平行移動し、その突っ張り力で静止中の出力盤ｈの内側に左右２カ所同時に突っ張り効果が働きスライド板ｄの先端と出力盤ｈの内壁を密着固定、起動盤ａの回転は即座に出力盤ｈへ連動する。起動盤ａの回転が停止してもクラッチは接続状態で起動盤ａと出力盤ｈは固定されているが、起動盤ａを逆回転するとスライド板ｄと出力盤ｈは切離され、更に戻しバネｅによりクラッチ盤ｃの中央へ戻されクラッチを自動解除できる。クラッチの自動解除が必要なければ起動盤ａの逆回転や戻しバネｅの機能は不要となる。
【産業上の利用可能性】
【００１２】本発明は従来型のクラッチと比較し▲１▼即応機敏性、▲２▼正逆回転対応、▲３▼摩擦部が無く高耐久、▲４▼滑りが無くトルクは回転力に正比例、▲５▼トルクに応じた素材で製作可能、▲６▼シンプル構造のため小型軽量薄型化が容易、▲７▼動力不要で低価格化が可能、など多くの優位性を備えており従来の遠心型や電磁クラッチとは全く異なる構造のクラッチであり利用範囲は多岐にわたると考えられる。
【符号の説明】
【００１３】ａ・・・・起動盤（歯車＆プーリー）ｂ・・・・起動軸ｃ・・・・クラッチ盤ｄ・・・・スライド板ｅ・・・・戻しバネｆ・・・・重りｇ・・・・ガイド軸ｈ・・・・出力盤ｉ・・・・シャフト（出力軸）ｊ・・・・バネ固定軸ｋ・・・・起動軸穴ｌ・・・・ガイド穴ｍ・・・・起動軸貫通穴
【図１】
2018063042.tif 000003
【図２】
2018063042.tif 000004
【図３】
2018063042.tif 000005
【図４】
2018063042.tif 000006
【図５】
2018063042.tif 000007
【図６Ａ】
2018063042.tif 000008
【図６Ｂ−Ｃ】
2018063042.tif 000009